(57)【特許請求の範囲】
【請求項１】
ユーザ機器が、ホワイトスペースデータベースを備えるサーバであって第１のアドレスに位置するサーバに要求を送ることと；
前記ユーザ機器が、前記要求に対する応答を受け取ることと；
を含み、前記応答は、データベースアドレスの変更又は更新を示すホワイトスペースデータベース更新メッセージを含むと共に、
・  ホワイトスペース周波数の割当てを取得するために第２のアドレスがいつアクセス可能であるかを表わす時刻と；
・  前記第１のアドレスが利用不能になる時刻と；
のうちの少なくともいずれかを含む、方法。
【請求項２】
前記要求は、
・  INIT_REQメッセージ；
・  AVAIL_SPECTRUM_REQメッセージ；
・  AVAIL_SPECTRUM_BATCH_REQメッセージ；
・  登録メッセージ；
のいずれかである、請求項１に記載の方法。
【請求項３】
前記要求は、ホワイトスペースに関連する情報パラメータを含む、請求項２に記載の方法。
【請求項４】
前記応答は更に、前記第１のアドレスが第２のアドレスに置き換えられるかどうかを示す情報を含む、請求項１に記載の方法。
【請求項５】
前記応答は、
・  INIT_RESPメッセージ；
・  AVAIL_SPECTRUM_RESPメッセージ；
・  AVAIL_SPECTRUM_BATCH_RESPメッセージ；
・  登録応答メッセージ；
のいずれかである、請求項１に記載の方法。
【請求項６】
前記データベースアドレスはデータベースのＵＲＩである、請求項１に記載の方法。
【請求項７】
前記要求は、規制ドメインに関連する１つ又は複数のホワイトスペースデータベースに対応する１つ又は複数のアドレスを伴って応答することを前記サーバに示す情報を含む、請求項１に記載の方法。
【請求項８】
前記応答は、複数のホワイトスペースデータベースの複数のアドレスを含む、請求項１に記載の方法。
【請求項９】
前記応答は更に、第２のアドレスに関連する登録情報と、前記第２のアドレスに関連する承認情報とのうち少なくとも１つを含む、請求項１に記載の方法。
【請求項１０】
前記サーバは、提供サーバ及び規制サーバのうち少なくとも１つを含み、前記提供サーバは、利用可能なホワイトスペースデータベースを含む応答を提供するために、前記ユーザ機器の製造者によって保守され、かつ、前記ユーザ機器にホワイトスペース周波数を割り当てるために認可され、更に、前記規制サーバは、前記ユーザ機器がカバーする規制ドメインにおけるホワイトスペース周波数の規制者によって保守される、請求項１に記載の方法。
【請求項１１】
処理手段及び記憶手段を備える装置であって、前記記録手段はプログラム命令を格納し、前記プログラム命令は、前記処理手段に実行されると、請求項１から１０のいずれかに記載の方法を前記装置に遂行させるように構成される、装置。
【請求項１２】
装置の処理手段に実行されると、前記装置に、請求項１から１０のいずれかに記載の方法を遂行させるように構成されるプログラム命令を備える、コンピュータプログラム。
【発明の詳細な説明】
【技術分野】
【０００１】
本願で開示される事項は無線通信に関する。
【背景】
【０００２】
コグニティブ無線（ＣＲ）等の無線では、特定の周波数帯域において免許不要で（例えば、該当する周波数帯域の使用免許を持たなくても）利用を許可する法令が担当所管当局により作成されている。例えば、連邦通信委員会（Federal Communications Commission；ＦＣＣ）は、（通常、ＵＨＦテレビとして利用される）極超短波（ＵＨＦ）帯域を免許不要で割り当て済みであり、この帯域の空チャネルはホワイトスペース又はテレビ帯ホワイトスペース（ＴＶＷＳ）とも呼ばれている。英国の通信庁（Office of Communications；ＯＦＣＯＭ）等、世界中の他の所管当局でも、こうしたホワイトスペースを利用可能なものにしている。こうした目的のために、インターネット技術タスクフォース（Internet Engineering Task Force；ＩＥＴＦ）では、データベースにアクセスするプロトコルの規格化を行っている（例えば、「ホワイトスペースデータベースのアクセスプロトコル（Protocol to Access White Space Database）」（draft-ietf-paws-protocol-03，２０１３年２月）及び他の関連規格・後続規格を参照されたい。以降ではこれらをＰＡＷＳと呼ぶ）。また、これらのデータベースは、所定の規制領域又はドメインで動作するように、ＦＣＣ等の規制当局によって認定されてもよい。
【０００３】
テレビ帯ホワイトスペースを利用するために、こうした規制当局は通常、所定の位置でデバイスが伝送可能になる前に、その位置で利用可能な周波数を含むデータベース（例えば、利用可能チャネル及び／又は利用可能チャネルリストとも呼ばれるもの）の検索を命じる。通常、こうした検索は規制当局によって要求され、免許を受けたテレビＵＨＦ放送局等の免許スペクトル利用に干渉するテレビ帯ホワイトスペースの利用を防止するために行われる。また、データベースにアクセスして利用可能周波数とその周波数に関する最大許容送信出力を取得するために、通常、マスターデバイスが使用される。マスターデバイスは自身の位置が分かっており、位置に応じて利用可能周波数をデータベースから受け取ることが許可される。次いで、マスターデバイスはこの利用可能周波数を関連するホワイトスペースデバイス（スレーブとも呼ばれる）に与えることができ、それによって、ホワイトスペースデバイスはその利用可能周波数で送信することができる。
【０００４】
ホワイトスペースデバイスには、いわゆる「スレーブ」デバイスである無線機が含まれてもよい。その理由は、こうしたデバイスが自身の位置を知らなくてもよいからであり（たとえそれが位置決定機能を有していたとしても、これがその通りに機能しないかもしれないし、動作不能であるかもしれない）、あるいは、利用可能周波数を提供するように構成された認定データベースと通信するのに必要な機能をスレーブが持たないからある。その代わり、データベースから取得された利用可能周波数／チャネルを取得するために、スレーブはマスターデバイスに依存する。例えば、ホワイトスペースデバイス（又はスレーブ）は、スレーブを制御するマスターデバイスに利用可能周波数を要求することによって、利用可能周波数を調べることができる。次いで、マスターデバイスは、利用可能周波数の要求と（マスターの位置で表わされる）位置情報をデータベースに提供する。データベースは、利用可能なホワイトスペース周波数と、場合により与えられた位置における最大送信出力をマスターに返す。次いで、マスターは、その利用可能周波数及び／又は最大送信出力をスレーブに配信する。そして、スレーブデバイスは、マスターの制御範囲に在る限り、マスターが提供した利用可能周波数の何れかで動作することができる。ＦＣＣの場合、スレーブデバイスは、マスターデバイスが送信した接続確認信号（contact verification signal；ＣＶＳ）を受信する限りにおいて、マスターが提供した利用可能周波数の何れかで動作することができる。
【摘要】
【０００５】
ホワイトスペースデータベースの発見に関する方法や装置、コンピュータプログラム製品が提供される。
ある実施形態に従う方法は、
ユーザ機器が、ホワイトスペースデータベースを備えるサーバに要求を送ることであって、前記サーバは第１のアドレスに位置する、前記送ることと；
前記ユーザ機器が、前記要求に対する応答を受け取ることであって、前記応答は、前記サーバ及び別のホワイトスペースデータベースを備える別のサーバのうち少なくとも１つにアクセスするために、前記サーバの識別情報及び第２のアドレスのうち少なくとも１つを含む、前記受け取ることと；
を含む。
ある実施形態に従う方法は、
ユーザ機器が、ホワイトスペースデータベースを備えるサーバであって第１のアドレスに位置するサーバに要求を送ることと；
前記ユーザ機器が、前記要求に対する応答を受け取ることと；
を含む。ここで前記応答は、データベースアドレスの変更又は更新を示すホワイトスペースデータベース更新メッセージを含む。
【０００６】
本願で開示される実施形態の変形例において、以下のものを含む本願で開示される特徴の１つ又は複数が含まれてもよい。前記応答は更に、ホワイトスペース周波数の割当てを取得するために前記第２のアドレスがいつアスクセス可能であるかを表わす時刻を含んでもよい。前記時刻は、前記ホワイトスペース周波数を割り当てるために前記別のサーバがアスクセス可能な開始時刻を表わしてもよい。前記時刻は、前記サーバの恒久的閉鎖及び一時的閉鎖のうち少なくとも１つのために、前記サーバが前記ホワイトスペース周波数を割り当てることができなくなりだす時刻を表わしてもよい。前記応答は更に、前記第１のアドレスが前記第２のアドレスに置き換えられるかどうかを示す情報を含んでもよい。前記要求は、認定ホワイトスペースデータベースのリストの要求を示す情報を含んでもよい。前記要求は、少なくとも１つのホワイトスペースデータベースの少なくとも１つのアドレスを前記サーバに提供することを示す情報を含んでもよい。前記要求は、規制ドメインに関連する１つ又は複数のホワイトスペースデータベースに対応する１つ又は複数のアドレスを伴って応答することを前記サーバに示す情報を含んでもよい。前記応答は、複数のホワイトスペースデータベースの複数のアドレスを含んでもよい。前記応答は更に、前記応答における第２のアドレスに関連する登録情報と、前記応答における第２のアドレスに関連する承認情報とのうち少なくとも１つを含んでもよい。前記登録情報は、前記別のサーバが登録を要求したかどうかを表わし、前記承認情報は、前記別のサーバが認証を要求したかを表わす第１の情報と、前記別のサーバが要求した認定の種類を表わす第２の情報とのうち少なくとも１つを含んでもよい。前記サーバは、提供サーバ及び規制サーバのうち少なくとも１つを含んでもよく、前記提供サーバは、利用可能なホワイトスペースデータベースを含む応答を提供するために、前記ユーザ機器の製造者によって保守され、かつ、前記ユーザ機器にホワイトスペース周波数を割り当てるために認可されてもよく、更に、前記規制サーバは、前記ユーザ機器がカバーする規制ドメインにおけるホワイトスペース周波数の規制者によって保守されてもよい。
【０００７】
上述の側面や特徴は、望ましい形態に応じて、システムや装置、方法、製品として実施されることができる。本願に開示される技術思想の１つ又は複数のバリエーションの詳細が、明細書の以下の部分と添付図面に説明される。本願に開示される技術思想の特徴や効果は、本願明細書や図面、特許請求の範囲から明らかになるであろう。
【図面の簡単な説明】
【０００８】
添付の図面は次の通りである。
【０００９】
【図１】典型的な実施形態に従う無線通信システムのブロック図を描いたものである。
【００１０】
【図２】典型的な実施形態に従い、ユーザ機器にホワイトスペース周波数を見つけるために、ユーザ機器の事前設定情報の更新を行う処理の例を描いたものである。
【図３】典型的な実施形態に従い、ユーザ機器にホワイトスペース周波数を見つけるために、ユーザ機器の事前設定情報の更新を行う処理の例を描いたものである。
【図４】典型的な実施形態に従い、ユーザ機器にホワイトスペース周波数を見つけるために、ユーザ機器の事前設定情報の更新を行う処理の例を描いたものである。
【００１１】
【図５】典型的な実施形態に従うユーザ機器の例を描いたものである。
【００１２】
【図６】典型的な実施形態に従う基地局の例を描いたものである。
【００１３】
図中、同様の符号は同じ又は似たような要素を表すために使用される。
【詳細説明】
【００１４】
テレビ放送におけるアナログ放送からデジタル放送への移行に続いて、「ホワイトスペース」又は「テレビ帯ホワイトスペース」で知られる未使用テレビチャネルが免許無しでの利用できるようになってきている。その結果、米国で、そして世界的にも、ユーザ機器等のデバイスがこうした電磁波スペクトルから割り当てられた部分で動作する機会が創り出されている。しかし前述したように、利用可能なホワイトスペーススペクトルの利用は、既存サービスとこうしたホワイトスペースを利用するデバイスとの間の干渉を防止するために厳密に規制されており、今後も規制されていく。例えば米国では、ホワイトスペースの適切な割当てを確実に行うために、連邦通信委員会（ＦＣＣ）は、テレビ放送帯域に関するホワイトスペースデータベース（以下、テレビ帯ホワイトスペースデータベース及び／又はＴＶ ＷＳＤＢと呼ぶ）の照会をデバイスに要求している。他の規制当局でも同様の方式の計画があり、あるいはその様に計画している。こうして、認可されたテレビ帯ホワイトスペーススペクトルで動作するために、ユーザ機器は少なくとも１つの認定ＴＶ ＷＳＤＢプロバイダを選択してアクセスするよう求められる可能性がある。さらに、こうした認定ＴＶ ＷＳＤＢの数には制約があると考えられるが、ＴＶ ＷＳＤＢのリストも固定されず、新しいデータベースは経時的に追加されたり、認定データベースが恒久的に又は一時的に閉鎖されたりする可能性もある。
【００１５】
幾つかの典型的な実施形態において、本願で開示される事項は、認定ＴＶ ＷＳＤＢを発見することに関連している。また、典型的な実施形態によっては、本願で開示される事項は、ユーザ機器等のデバイスにおける所与のＴＶ ＷＳＤＢリストを更新することに関連してもよい。
【００１６】
幾つかの典型的な実施形態において、ユーザ機器には、アドレスを含むリストが工場出荷時に予め設定又は具備されてもよい。こうしたアドレスには、認定テレビ帯ホワイトスペースデータベースのインターネットプロトコルアドレスや統一資源識別子（ＵＲＩ）、統一資源位置指定子（ＵＲＬ）等がある。典型的な実施形態によっては、本願で開示される事項は、ユーザ機器の所与のＴＶ ＷＳＤＢリストに与えられる変更や改訂、追加情報等の更新に関連してもよい。
【００１７】
セルラインタフェースやＷｉＦｉインタフェース、ブルートゥース（登録商標）無線インタフェースの何れかに加えて、スマートフォンや他のデバイス等のユーザ機器は、コグニティブ無線のような、テレビ帯ホワイトスペース等のホワイトスペース周波数帯域で動作するように構成された無線を備えるように構成されてもよい。
【００１８】
幾つかの典型的な実施形態において、ユーザ機器は、携帯基地局等の無線アクセスポイントにおけるマスターにアクセスするように構成されるスレーブデバイスとして構成されてもよい。次いで、マスターはＴＶ ＷＳＤＢにアクセスする。ここで、ユーザ機器がカスターとして動作するように構成されていてもよい。如何なる場合でも、ＴＶ ＷＳＤＢは、ユーザ機器の位置など特定の位置でホワイトスペースを利用するために使用可能な１つ又は複数のホワイトスペース周波数（チャネルとも呼ばれる）を提供することができる。また、ＴＶ ＷＳＤＢは、ホワイトスペースの利用に関連する他の情報を提供してもよい。こうした情報は、割り当てられたホワイトスペース周波数で使われるべき最大送信出力や、以下で詳述するようなホワイトスペースに関連する他の情報でもよい。次いで、ユーザ機器は、ホワイトスペース周波数／チャネルで送受信するために（例えば、ブロードキャストアクセス、ピアツーピア通信、アドホック通信、ホットスポット等を可能にするために）、そのテレビ帯ホワイトスペース周波数を利用してもよい。
【００１９】
更なる詳細説明を行う前に、図１を参照して、典型的なシステム環境１００の説明を行う。幾つかの典型的な実施形態において、無線通信システム１００は、通信可能エリア１１２Ａ−Ｂ（セルとも呼ばれる）等の対応サービスエリア又は通信可能エリアに対応する、基地局１１０Ａ−Ｂ等の１つ又は複数の無線アクセスポイントを有してもよい。基地局１１０Ａ−Ｂは、ユーザ機器１１４・１１６Ａ−Ｂのような、その通信可能エリア内の無線デバイスと通信可能でもよい。
【００２０】
幾つかの典型的な実施形態において、ユーザ機器１１４・１１６等のユーザ機器は、１つ又は複数のＴＶ ＷＳＤＢ１９９Ａ−Ｎを特定するリストにアクセスしてもよい。このリストは、１つ又は複数のＴＶ ＷＳＤＢ１９９Ａ−Ｎのアドレスを特定してもよい。さらにこれらのアドレスは、ＴＶ ＷＳＤＢの発見が行われるときにユーザ機器によるアクセスを許可するために、ユーザ機器の工場出荷時に（又はその他のときでも）予め与えられていてもよい。ＴＶ ＷＳＤＢ１９９Ａ−Ｎは、テレビ帯ホワイトスペースのユーザにテレビ帯ホワイトスペース周波数を提供するために、規制当局によって認定されてもよい。また、ＴＶ ＷＳＤＢ１９９Ａ−Ｎは、位置に基づいてユーザ危機にテレビ帯ホワイトスペース周波数を提供してもよい。それにより、ユーザ機器は、セル１１２等の所定の位置でユーザが利用可能なテレビ帯ホワイトスペース周波数を受信する。
【００２１】
詳述すると、ユーザ機器１１４は、ＴＶ ＷＳＤＢ１９９Ａ−ＮのアドレスなどＴＶ ＷＳＤＢアドレスの事前設定リストにアクセスしてもよい。この事前設定リストは、典型的な実施形態によっては、更新アドレス及び／又は他のホワイトスペース関連情報を含むように更新されてもよい（例えば、改訂、修正、拡張、増補等が行われてもよい）。さらにこの事前設定リストは、典型的な実施形態によっては、無線アクセスリンク１２２と基地局１１０Ａを通じて、提供サーバ１９５によってユーザ機器に提供されてもよい（無線アクセスリンク１２２と基地局１１０Ａには、ＴＶ ＷＳＤＢ１９９Ａ−Ｎへのバックホールリンク／ネットワーク１５０が含まれる）。
【００２２】
基地局１１０Ａがマスターになる場合、ＴＶ ＷＳＤＢは、基地局１１０Ａにホワイトスペース周波数及び／又は他のホワイトスペース関連情報（例えば、最大送信出力等）を提供してもよい。それにより、基地局１１０Ａは、この情報をユーザ機器１１４等のスレーブに提供することができる。次いで、ユーザ機器１１４は、そのテレビ帯ホワイトスペースにおいて提供された周波数の少なくとも１つので（例えば、ＴＶ ＷＳＤＢが提供した最大送信出力以下の出力で）送信を開始してもよい。このホワイトスペース周波数はテレビ帯ホワイトスペース周波数に対応するが、典型的な実施形態によっては、他のホワイトスペース周波数も利用することができる。基地局１１０ＡがＣＶＳ信号を送信するように構成される場合、ユーザ機器１１４は、そのＣＶＳ信号を検出できる限り、ＴＶ ＷＳＤＢが提供するテレビ帯ホワイトスペース周波数で送信してもよい。
【００２３】
典型的な実施形態において、ＴＶ ＷＳＤＢ１９９Ａ−Ｎは免許無しで利用可能な周波数を含み、こうした免許不要の周波数がホワイトスペース及び／又はホワイトスペース周波数と呼ばれてもよい。典型的な実施形態によっては、こうしたホワイトスペースにはテレビ帯ホワイトスペースが含まれる。テレビ帯ホワイトスペースとは、通常、周波数スペクトルにおいてテレビ放送免許が必要な帯域（例えば、ＵＨＦ等）に関連するホワイトスペースを指す。こうしたホワイトスペースで利用可能な周波数は、スペクトルの免許利用と干渉しないように提供されるため、ユーザ機器及び／又はユーザ機器が在圏する基地局は、テレビ帯ホワイトスペース周波数が利用割当てされる前にＴＶ ＷＳＤＢに登録しなくてはならないこともある。利用可能なホワイトスペース周波数リストを取得するためにユーザ機器／基地局が提供するこうした情報には、次の１つ又は複数が含まれてもよい： ユーザ機器の位置で表わされる位置情報；基地局の位置で表わされる位置情報；基地局の通信可能エリア；基地局の送信出力；基地局が在る領域の等高線（又は地形）；タイミングアドバンス値（ユーザ機器と基地局との間の伝送時間（従って距離）を表わす）；基地局アンテナパラメータ；及び、基地局の通信可能エリアに在るユーザ機器がスペクトルの免許ユーザに干渉する可能性の有無を決定するのに関連し得る、その他のあらゆる情報。
【００２４】
典型的な実施形態において、システム１００には規制サーバ１９９が含まれてもよい。規制サーバ１９９は、所定のスペクトル規制当局によって実装され、ＦＣＣやＯＦＣＯＭ等の規制当局が規制するドメイン／領域内のホワイトスペース周波数を分配するために認定されたＴＶ ＷＳＤＢのリストを提供してもよい。例えば、ユーザ機器は、規制サーバ１９９等のサーバにアクセスし、インターネットや他のネットワーク等を通じて識別情報の現行リストを取得してもよい。この識別情報には、規制サーバ１９９に対応する領域のホワイトスペース周波数を取得するための、認定済みかつ現在アクセス可能なＴＶ ＷＳＤＢのアドレスが含まれている（例えば、ＦＣＣが主催する規制サーバ１９９は、米国で動作するデバイスにホワイトスペース周波数を提供するが、欧州では行わない）。
【００２５】
典型的な実施形態において、基地局１１０Ａ−Ｂは、標準規格に準拠するｅＮＢ(evolved Node B)タイプの基地局として実装されてもよい。この標準規格には、3GPP TS 36.201等のLTE（Long Term Evolution）標準規格、E-UTRA（Evolved Universal Terrestrial Radio Access）；LTE物理層；概要、3GPP TS 36.211、E-UTRA；物理チャネル及び変調、3GPP TS 36.212、E-UTRA；多重化及びチャネルコーディング、3GPP TS 36.213、E-UTRA；物理層手順、3GPP TS 36.214、E-UTRA；物理層−測定、これら及びその他の3GPPシリーズの標準規格への将来のあらゆる追加及び改訂（LTE標準規格と総称される）を含む。また、こうした基地局は、フェムトセル基地局やホームｅＮＢ基地局、ピコセル基地局、ＷｉＦｉアクセスポイント、その他の無線アクセス技術に準拠するように構成された無線アクセスポイントの何れかとして構成されてもよい。
【００２６】
ユーザ機器１１４及び／又は１１６等のユーザ機器は、移動型デバイス及び／又は据置型デバイスとして実装されてもよい。こうしたユーザ機器は、例えば、移動局や移動ユニット、加入者端末、無線端末、タブレット、スマートフォン等と呼ばれることが多い。ユーザ機器は、例えば、無線ハンドヘルドデバイス、無線プラグインアクセサリ、据置型デバイスに構成される無線送受信機、携帯型デバイスに構成される無線送受信機等として実装されてもよい。場合によっては、ユーザ機器には、プロセッサやコンピュータ可読記憶媒体（例えば、メモリ、ストレージ等）、無線インタフェース、ユーザインタフェースの少なくとも何れかが含まれてもよい。典型的な実施形態によっては、ユーザ機器は、複数の無線アクセスに対応するマルチモード無線技術を備えてもよい。こうした無線技術には、例えば、次の１つ又は複数が含まれる：セルラ無線インタフェース（例えば、ＬＴＥ、ＬＴＥアドバンス等）、ＷｉＦｉ無線インタフェース、ブルートゥース（登録商標）無線インタフェース、及び、テレビ帯ホワイトスペース等のホワイトスペース周波数で動作を許容するように構成されたコグニティブ無線。このホワイトスペース周波数はテレビＵＨＦ帯であるが、典型的な実施形態によっては、他のホワイトスペース周波数も利用することができる。
【００２７】
図１には２つの基地局１１０Ａ−Ｂと２つのセル１１２Ａ−Ｂ、２つのユーザ機器１１４・１１６、３つのＴＶ ＷＳＤＢ１９９Ａ−Ｎ、単一の規制サーバ１９９が描かれているが、無線通信システム１００はこれ以外の数のデバイスや構成も含むことができる。
【００２８】
典型的な実施形態において、ユーザ機器１１４及び／又は１１６には、ＴＶ ＷＳＤＢ１９９Ａ−Ｎのアドレスのような１つ又は複数の認定データベースのリストが予め提供又は設定されていてもよい。そしてこの事前設定は製造時に行うことができる（無論、他の時に行われてもよい）。ユーザ機器は、事前設定されている場合、その事前設定リストから、例えばＴＶ ＷＳＤＢ１９９ＡのようなＴＶ ＷＳＤＢの少なくとも１つを選択し、選択されたＴＶ ＷＳＤＢ１９９Ａにテレビ帯ホワイトスペース周波数／チャネル等のホワイトスペーススペクトル情報の照会要求を送ってもよい。選択されたＴＶ ＷＳＤＢから応答が無いか、照会先ＴＶ ＷＳＤＢからエラー応答を受け取った場合、ユーザ機器は、（特定の選択方式に従って）ユーザ機器の事前設定ＴＶ ＷＳＤＢリストから、例えばＴＶ ＷＳＤＢ１９９Ｂのような別のＴＶ ＷＳＤＢデータベース等を選択し、その選択されたＴＶ ＷＳＤＢにテレビ帯ホワイトスペース周波数／チャネルを再度照会してもよい。実際に、ユーザ機器は、ＴＶ ＷＳＤＢからテレビ帯ホワイトスペース周波数の割当という応答の取得に成功するまで、あるいは、事前設定リストの全ＴＶ ＷＳＤＢからの応答受信に失敗するまで、この処理を繰り返すことができる。
【００２９】
図２には、ＴＶ ＷＳＤＢを含むリストに予め提供／設定されたＴＶ ＷＳＤＢをユーザ機器１１４が照会するときに実装され得る処理２００を示している。図２の記述は図１も参照している。
【００３０】
ユーザ機器１１４には、アクセス可能な１つ又は複数のＴＶ ＷＳＤＢ１９９Ａ−Ｎの識別情報及び／又はアドレスのリストが予め設定されてもよい。事前設定リストは、ユーザ機器１１４の製造時や設定時等にインストールされる、ファームウェアのような情報として提供されてもよい（無論、事前設定リストが他の時に提供されてもよい）。
【００３１】
ユーザ機器１１４は２０５で、ＴＶ ＷＳＤＢの事前設定リストに特定されたＴＶ ＷＳＤＢ１９９Ａ−Ｎの各々に要求を送ってもよい。ユーザ機器１１４が、肯定応答やＴＶ ＷＳＤＢへの登録に関する標示情報、テレビ帯ホワイトスペース周波数割当てを含む応答の何れかのような応答の受信に成功した（２１０で真である）場合、ユーザ機器１１４は（２１２で）、応答したＴＶ ＷＳＤＢと、そのＴＶ ＷＳＤＢが提供する対応したテレビ帯ホワイトスペース周波数とを使用してもよい。
【００３２】
しかし、ユーザ機器１１４が事前設定リストの何れのＴＶ ＷＳＤＢ１９９Ａ−Ｎからの応答の受信に成功しない（２１０で偽である）場合、ユーザ機器１１４は２２０で、更新されたＴＶ ＷＳＤＢ情報を取得するために、提供サーバ１９５等のサーバにアクセスしてもよい。例えば、提供サーバ１９５は、ユーザ機器１１４のメーカー等の事業体によって、更新情報を提供するように実装されてもよい。この更新情報は、ユーザ機器１１４にある認定ＴＶ ＷＳＤＢの事前設定リストを含む新規の（例えば、別版、改訂版等の）ファームウェアのようなものでもよい。この更新は、現在使用中又はアクティブなＴＶ ＷＳＤＢの更新アドレスだけでなく、ＴＶ ＷＳＤＢに関連する他のホワイトスペース関連情報や、そうしたデータベース及び／又は割当て周波数の使用状況も含む形であってもよい。例えば、提供サーバ１９５は、現在アクティブなＴＶ ＷＳＤＢの完全リストを提供してもよく、工場出荷時設定のリストからの変更や追加を既存リストに補充してもよい。
【００３３】
次いで、ユーザ機器１１４は２２０で、ＴＶ ＷＳＤＢの更新リストにあるＴＶ ＷＳＤＢにアクセスするためにその更新リストを使用してもよい。ユーザ機器１１４がこれらのＴＶ ＷＳＤＢの１つへのアクセスに成功できた（２２２で真である）場合、ユーザ機器１１４は（２２６で）、テレビ帯ホワイトスペース周波数の割当てを取得するためにそのＴＶ ＷＳＤＢを使用する。しかし、ユーザ機器１１４が更新リストの全てのＴＶ ＷＳＤＢからの応答受信に再度失敗した（２２２で偽である）場合、ユーザ機器１１４は２３０で、見つけられるＴＶ ＷＳＤＢのアドレスを求める入力を要求してもよい。例えば、ユーザ機器１１４は、ＴＶ ＷＳＤＢのアドレスに到達できるユーザインタフェースを提示してもよい。
【００３４】
前述の実施例では製造者に関連する提供サーバ１９５が記載されているが、他の事業体が提供サーバを設けたり、そのアクセスを許可したりしてもよい。
【００３５】
図３には、ユーザ機器１１４に予め提供／設定されたＴＶ ＷＳＤＢのリストをユーザ機器１１４が照会するときに実装され得る処理３００を示している。具体的には、処理３００は、ＴＶ ＷＳＤＢのアドレス変更、及び／又はＴＶ ＷＳＤＢの一時的／恒久的閉鎖の処理に関連する。図３の記述は図１も参照している。
【００３６】
典型的な実施形態において、ユーザ機器１１４は、周波数割当てを取得する要求をＴＶ ＷＳＤＢ１９９Ｎに送ってもよい。この要求は、ユーザ機器１１４に格納された事前設定リストに特定されるＴＶ ＷＳＤＢ１９９Ｎに送られてもよい。典型的な実施形態によっては、３１０で送られた要求には、パラメータ等の標示情報が含まれてもよい。さらに、このパラメータは、特定の規制ドメイン／領域における他のＴＶ ＷＳＤＢのアドレスを伴う応答をユーザ機器１１４に返すように、ＴＶ ＷＳＤＢ１９９Ｎに伝達するものでもよい（こうした規制ドメイン／領域は、例えば伝達されるＴＶ ＷＳＤＢ１９９Ｎと同じ領域でもよく、あるいは個別に規制される別のドメインでもよい）。３１０で送られる要求メッセージには、承認及び／又はセキュリティ関連情報のような追加のホワイトスペース関連情報の要求が含まれてもよい（こうした情報は、例えば、要求されたＴＶ ＷＳＤＢへの登録であったり、他のＴＶ ＷＳＤＢによる承認要求の有無を示し、その場合、承認等に必要な認証情報の種類を示す情報であったりしてもよい）。照会されたＴＶ ＷＳＤＢ１９９Ｎは、以下の３２０と関連して記述されるように応答することができるが、場合によっては、照会されたＴＶ ＷＳＤＢ１９９Ｎは要求に応答しなくてもよい（例えば、データベースがその要求に対応していなくてもよく、応答しないように対応できてもよい）。
【００３７】
別の実施例として示せば、ユーザ機器はＷＳＤＢへの要求を送るが、その要求には前述のパラメータが含まれていなくてもよい。このような場合、ＴＶ ＷＳＤＢは代替としてＷＳＤＢの更新アドレスを伴って応答してもよい。この更新アドレスには更に、更新アドレスの使用可能開始時刻が含まれてもよく、それにより、ユーザ機器はＷＳＤＢに接続する時刻と位置を知ることができる。
【００３８】
ユーザ機器１１４は３２０で、ＴＶ ＷＳＤＢ１９９Ｎからの応答を受け取り、この応答には、要求情報や更新情報、その他の類似情報の何れかのような情報が含まれてもよい。例えば、更新情報には、現行アドレスが変更されようとしている場合に別の（新しい）ＴＶ ＷＳＤＢアドレスを示すパラメータが含まれてもよく、この情報には、新アドレスが有効になる（従って、ユーザ機器がＴＶ ＷＳＤＢにアクセスするのに使用可能な）時刻が含まれてもよい。また、更新情報／パラメータは、応答するＴＶ ＷＳＤＢが一時的閉鎖又は恒久的閉鎖をしようとするとき、別のデータベースのアドレスを提示してもよい。さらに、更新情報／パラメータには、１つ又は複数の他のＴＶ ＷＳＤＢに関する複数のアドレスが含まれてもよい。この更新においても、新規アドレスの使用可能時期を特定する開始時刻や、新規アドレスが使用不可になる時期を特定する終了時刻、新規アドレスを使用できる期間を特定する持続時間、その他のあらゆるホワイトスペース関連情報の何れかが含まれてもよい。更新情報／パラメータは、ユーザ機器への命令を与えてもよい。例えば、こうした情報／パラメータは、ユーザ機器のＴＶ ＷＳＤＢリストで現在使用中のデータベースのアドレスに対して、更新アドレスの追加又は置換の有無を特定してもよい。ここで応答には、承認及び／又はセキュリティ関連情報を含む追加のホワイトスペース関連情報が含まれることに留意されたい（こうした情報は、例えば、要求されたホワイトスペースデータベースに関する登録情報や、ＷＳＤＢに対する承認情報であって、承認情報には承認等に必要な認証情報の種類が含まれてもよい）。こうした登録要求の有無や承認に必要な認証情報の種類を示す情報を含む応答（３２０で送られる応答）の実施例は、この後に掲載する表６で詳述される。
【００３９】
図４は、典型的な実施形態に従う、ＴＶ ＷＳＤＢの事前設定リストの更新を行う処理４００に関連する。処理４００の記述は図１も参照している。
【００４０】
事前設定リストは、新しいＴＶ ＷＳＤＢが認定される度に更新されてもよい。例えば、ユーザ機器１１４には、テレビ帯ホワイトスペース周波数の規制当局に関連するサーバのアドレスが予め設定されていてもよい。例えば、この規制サーバ１９９は、スペクトル規制当局（又は規制当局が許可した事業体）によって保守され、更に、所定のドメイン、例えばその規制当局が規制する領域において認定された全ＴＶ ＷＳＤＢのリストのような情報を提供してもよい。このような場合、ユーザ機器１１４は、規制サーバ１９９や規制当局が保守する一覧サーバ等のサーバに、更新ＴＶ ＷＳＤＢの一覧情報を取得する要求を時折送ることもできる。この一覧情報は、規制サーバ１９９に関連する規制当局が認定したＴＶ ＷＳＤＢのアドレス等である。これに応答して、規制サーバ１９９は、要求された情報をユーザ機器１１４に提供してもよい。
【００４１】
典型的な実施形態において、４１０で送られた要求は、命令として実施されてもよい。例えば、この命令はGETDATABASEADDR命令として実施され、IETF PAWS関連規格等の規格により特定されたり、所有されたりしてもよい。GETDATABASEADDR命令は、その命令を送るユーザ機器に対して、規制サーバ１９９にある現行の認定データベースのアドレスの少なくとも一部のダウンロードを開始してもよい。GETDATABASEADDR等の専用命令に規制サーバ１９９が対応していない場合、サーバ１９９はエラーを返してもよい。この場合、ユーザ機器は、一覧サーバからそこの情報をダウンロードするために従来のＨＴＴＰ（hypertext transfer protocol）におけるGet命令を実行し、ダウンロードした情報からＴＶ ＷＳＤＢアドレス／ＵＲＬを抽出してもよい。
【００４２】
典型的な実施形態において使用され得る典型フォーマットは、以下の表１−８で示す。
【００４３】
典型的な実施形態において、ＴＶ ＷＳＤＢからの応答は、ホワイトスペースマスターとも呼ぶことができるマスターに送られてもよい。この情報は以下の表１に示すように構成されてもよい。
【００４４】
[表１]
0006377782.tif 000002
【００４５】
表１の実施例では、db_addressパラメータは、マスターが現在アクセスしているＴＶ ＷＳＤＢの将来の通信に使用されることになる新規アドレスをリストにする。ＴＶ ＷＳＤＢは、自身のアドレスが将来変わる予定であると分かると直ぐに、このパラメータを挿入してもよい。additional_db_addressesは、所定の管轄において、マスターがアクセス可能な追加データベースをリストにしてもよい。ＴＶ ＷＳＤＢは、同じ管轄に対する新規ＴＶ ＷＳＤＢが規制当局又は運用者によって承認されたと分かると直ぐに、このパラメータを挿入してもよい。これらのパラメータは、INIT_RESPメッセージとAVAIL_SPECTRUM_RESPメッセージがＰＡＷＳ等の規格に従って構成される場合、これら両方のメッセージに存在することができる。これらのパラメータは、表２で示したものと同様に時間利用可能情報によって畳み込みすることができる。
【００４６】
[表２]
0006377782.tif 000003
【００４７】
表２の実施例において、「new_db_address; starttime」というパラメータは、タイムスタンプによって添付された、ＴＶ ＷＳＤＢのＵＲＩ又はＵＲＬ等のアドレス形式を取ってもよい。
【００４８】
また、マスターは、INIT_REQ又はAVAIL_SPECTRUM_REQメッセージにパラメータを挿入することによって、この管轄に対する承認データベースの完全リストをＴＶ ＷＳＤＢが送るように要求してもよい。このメッセージについては表３に示す。
【００４９】
[表３]
0006377782.tif 000004
【００５０】
表３のadditional_db_address_listパラメータが初期化要求（INIT_REQ）又は利用可能スペクトル要求（AVAIL_SPECTRUM_REQ）に存在する場合、マスターは、そのメッセージに対する応答にadditional_db_addressesパラメータを含めなくてはならない。また、マスターは、データベースアドレスを所望する場所とは別の規制ドメインを特定することもできる。これについては表４に示す。
【００５１】
[表４]
0006377782.tif 000005
【００５２】
表４のreg_domainパラメータは、ＦＣＣやＯＦＣＯＭ等の規制当局の値を取ってもよい。規制ドメインが特定される場合、ＴＶ ＷＳＤＢは、その特定された規制ドメインから分かるデータベースアドレスのみを返してもよい。何も分からない場合、応答におけるパラメータにはアドレスが含まれていなくてもよい。マスターが、何らかの方法で（手動設定、あるいは現在使用されているＴＶ ＷＳＤＢからのデータベース更新の何れかで）新規（例えば、別の）データベースについて分かる場合、そのＴＶ ＷＳＤＢが使用する認証・認可モデルの種類については分からなくてもよい。マスターは、この新規ＴＶ ＷＳＤＢにコンタクトし、そのＴＶ ＷＳＤＢにこうした情報を確認してもよい。これについては表５に示す。
【００５３】
[表５]
0006377782.tif 000006
【００５４】
INIT_REQメッセージは、auth_model_typeパラメータを含むように拡張されてもよい（INIT_REQメッセージについては、例えば、http://www.ietf.org/id/draft-ietf-paws-protocol-03.txtを参照されたい）。このauth_model_typeパラメータによって、マスターはＴＶ ＷＳＤＢが使用する認証・認可情報を照会することができる。この応答として、例えばデータベースは、INIT_RESPメッセージに要求されたパラメータを含んで応答してもよい。このINIT_RESPメッセージは次の表６に従う。
【００５５】
[表６]
0006377782.tif 000007
【００５６】
auth_modelパラメータは、登録要求の有無の値をとってもよい。credential_typeは、企業が発行したクライアント認証又はユーザ名／パスワードの値をとってもよい。
【００５７】
GETDATABASEADDRメッセージのようなメッセージは、ＰＡＷＳに従って構成されるように実装されてもよく、そのフォーマットについては表７に示す通りでもよい。
【００５８】
[表７]
0006377782.tif 000008
【００５９】
表７に従うメッセージを受け取ると、ＴＶ ＷＳＤＢ又はサーバは、データベースアドレス・リスト・メッセージを、表８に示すフォーマットで生成してもよい。
【００６０】
[表８]
0006377782.tif 000009
【００６１】
表８のデータベースアドレスは、アクセスされたＴＶ ＷＳＤＢの規制ドメインにある承認ＴＶ ＷＳＤＢのアドレスである。AVAIL_SPECTRUM_RESPメッセージに適用可能な全てのパラメータは、AVAIL_SPECTRUM_BATCH_RESPメッセージにも同様に適用することができる。同様に、パラメータがAVAIL_SPECTRUM_REQに適用可能であれば、AVAIL_SPECTRUM_BATCH_REQにも適用することができる。
【００６２】
図５には、典型的な実施形態に従って、ユーザ機器として構成可能な装置１０のブロック図が示されている。
【００６３】
装置１０は、送信機１４及び受信機１６と接続する少なくとも１つのアンテナ１２を備えてもよい。あるいは、送信機と受信機のアンテナがそれぞれ別々でもよい。典型的な実施形態によっては、装置１０は、複数の無線アクセスに対応するマルチモード無線として実装されてもよい（こうした無線には、例えば、セルラ無線送受信機、ＷｉＦｉ送受信機、テレビ帯ホワイトスペース用コグニティブ無線等の何れかが含まれる）。このような場合、装置１０は、複数の無線アクセス技術に従って構成された複数の無線サブシステムを備えてもよい。例えば、装置１０は、ロングタームエボリューション等のセルラ無線アクセスネットワークにアクセスできるように構成された１つ（又は複数）のアンテナ（例えば、後述のアンテナ１２）や無線コンポーネント（例えば、後述の送信機１４と受信機１６）、その他のデバイスを備えてもよい。さらに装置１０は、テレビ帯ホワイトスペースにアクセスできるように構成された１つ（又は複数）のアンテナや無線コンポーネント、その他のデバイスを含む別のセット等を備えることもできる。
【００６４】
装置１０は、送信機及び受信機とそれぞれ信号をやり取りし、装置の機能を制御するように構成されたプロセッサ２０を備えてもよい。プロセッサ２０は、電気接続を介して送信機及び受信機と信号をやり取りする制御を有効にすることによって、送信機及び受信機の機能を制御するように構成されてもよい。同様に、プロセッサ２０は、例えばディスプレイやメモリ等、電気接続を介してプロセッサ２０に接続する装置１０の他の要素と信号をやり取りする制御を有効にすることによって、こうした他の要素を制御するように構成されてもよい。プロセッサ２０は、例えば、様々な手段として具現化されることができる。こうした手段には、回路や少なくとも１つの処理コア、協働するDSPを備える１つ又は複数のマイクロプロセッサ、DSPを備えない１つ又は複数のプロセッサ、１つ又は複数のコプロセッサ、１つ又は複数のマルチコアプロセッサ、１つ又は複数のコントローラ、処理回路、１つ又は複数のコンピュータ、集積回路を含むその他様々な処理要素（例えば、特定用途向け集積回路（ＡＳＩＣ）やフィールド・プログラマブル・ゲート・アレイ（ＦＰＧＡ）等）、又はそれらの組合せが含まれる。したがって、プロセッサ２０は、図５ではシングルプロセッサとして描かれているが、典型的な実施形態によっては複数のプロセッサ又は処理コアを含んでもよい。
【００６５】
プロセッサ２０がやり取りする信号には、利用可能なセルラシステムや、様々な有線・無線ネットワーク技術の規格に従ったシグナリング情報を含んでいてもよい。こうした技術には、限定されないが、例えば、米国電気電子学会（ＩＥＥＥ）の８０２．１１や８０２．１６規格のようなＷｉ−Ｆｉや無線ローカルエリアネットワーク（ＷＬＡＮ）技術等の何れか、又はそれらの組合せが含まれる。さらに、こうした信号には、音声データやユーザが生成したデータ、ユーザが要求したデータ等が含まれてもよい。
【００６６】
装置１０は、１つ又は複数の無線インタフェース規格や通信プロトコル、変調タイプ、アクセスタイプの何れかで動作可能でもよい。例えば、装置１０及び／又はその中にあるセルラモデムは、種々の第１世代（１Ｇ）通信プロトコル、ＧＥＲＡＮやＧＰＲＳ等の第２世代（２Ｇ又は２．５Ｇ）通信プロトコル、ＷＣＤＭＡ（登録商標），やＨＳＰＡ、ｃｄｍａ２０００、ＴＤ−ＳＣＤＭＡ等の第３世代（３Ｇ）通信プロトコル、ＬＴＥやＥＵＴＲＡ、ＴＤ−ＬＴＥ等の第４世代（４Ｇ）通信プロトコル、インターネットプロトコル・マルチメディアサブシステム（ＩＭＳ）通信プロトコル（例えば、セッション・イニシエーション・プロトコル（ＳＩＰ））等の発展型パケットシステム等の何れかに従って動作可能でもよい。また、装置は、インターネットプロトコル（ＩＰ）やＩＰフローの移動性に対する追加、ＨＴＴＰやＳｋｙｐｅ、Ｙｏｕｔｕｂｅ，Ｎｅｔｆｌｉｘ等の上位レイヤプロトコルを実装してもよい。例えば、装置１０は、第２世代の無線通信プロトコルであるＩＳ−１３６や時分割多元接続（ＴＤＭＡ）、ＧＳＭ（登録商標）、ＩＳ−９５、符号分割多重アクセス（ＣＤＭＡ）等の何れかに従って動作可能でもよい。加えて、装置１０は、例えば、２．５世代の無線通信プロトコルであるＧＰＲＳ（General Packet Radio Service）、ＥＤＧＥ（Enhanced Data GSM Environment）等の何れかに従って動作可能でもよい。さらに、装置１０は、例えば第３世代無線通信プロトコルであるＵＭＴＳ（Universal Mobile Telecommunications System）、ＣＤＭＡ２０００、ＷＣＤＭＡ（登録商標）、時分割複信−符号分割多元接続（ＴＤ−ＳＣＤＭＡ）等の何れかに従って動作可能でもよい。装置１０は加えて、第３．９世代の無線通信プロトコルであるロング・ターム・エボリューション（ＬＴＥ）や、Ｅ−ＵＴＲＡＮ（Evolved Universal Terrestrial Radio Access Network）等の何れか、及び／又はホワイトスペース周波数等に従って動作可能でもよい。加えて、装置１０は、例えばLTE-Advanced等の４Ｇ無線通信プロトコルや、今後開発される予定の同様の無線通信プロトコルに従って動作可能でもよい。加えて、装置１０は、例えばコグニティブ無線やその他あらゆるタイプの無線の何れかの無線送受信機を用いて、テレビ帯ホワイトスペース等のホワイトスペース周波数に従って動作可能でもよい。
【００６７】
プロセッサ２０には装置１０のオーディオ／ビデオ機能や論理機能を実装する回路が具備されることは理解されよう。さらに、プロセッサ２０はＤＳＰデバイスやマイクロプロセッサデバイス、Ａ／Ｄ変換器、Ｄ／Ａ変換器等を備えてもよい。装置１０の機能を処理する制御及び信号は、それぞれの機能に応じて、これらのデバイス間で割り当てられてもよい。加えて、プロセッサ２０は、内蔵の音声符号化器（ＶＣ）２０ａや内蔵のデータモデム（ＤＭ）２０ｂ等の何れかを備えてもよい。さらに、プロセッサ２０は、メモリに記録されうる一つ以上のソフトウェアプログラムを実行する能力を有してもよい。一般に、プロセッサ２０と格納されたソフトウェア命令は、装置１０に動作を実行させるように構成することができる。例えば、プロセッサ２０は、ウェブブラウザ等のような通信プログラムを実行可能でもよい。こうした通信プログラムによって、装置１０は、位置ベースコンテンツ等のウェブコンテンツを、無線アプリケーションプロトコル（ＷＡＰ）やハイパーテキスト転送プロトコル（ＨＴＴＰ）等の何れかのようなプロトコルに従って送受信可能になる。
【００６８】
また、装置１０は、プロセッサ２０と制御可能に接続され得る要素であって、例えば、イヤホン／スピーカ２４、リンガ２２、マイクロフォン２６、ディスプレイ２８、ユーザ入力インタフェース等の何れかを備えてもよい。前述のディスプレイ２８には、タッチセンシティブディスプレイであって、ユーザが選択や値の入力等の何れかを行うためにタッチやジェスチャ入力の何れかを行うことができるディスプレイが含まれてもよい。また、プロセッサ２０は、ユーザインタフェースの１つ又は複数の要素に関する少なくとも一部の機能を制御するように構成されるユーザインタフェース回路を備えてもよい。こうしたユーザインタフェースは、スピーカ２４やリンガ２２、マイクロフォン２６、ディスプレイ２８等の何れかでもよい。プロセッサ２０及び／又はプロセッサ２０を含むユーザインタフェース回路は、コンピュータプログラム命令を通じて、ユーザインタフェースの１つ又は複数の要素の１つ又は複数の機能を制御するように構成されてもよい。こうしたコンピュータプログラム命令は、例えば、プロセッサがアクセス可能な揮発性メモリや不揮発性メモリ等のメモリに格納されるソフトウェアやファームウェアでもよい。装置１０は、携帯端末に関連する種々の回路に給電するバッテリーを備えてもよい。こうした回路には、例えば、検出可能な出力として機械振動を与える回路がある。ユーザ入力インタフェースは、装置１０がデータを受け取れるようにするデバイスを備えてもよい。こうしたデバイスは、例えばキーパッド３０（ディスプレイ２８に表示される仮想キーボードや外部接続キーボードでもよい）やその他の入力デバイスの何れかでもよい。
【００６９】
図５に描かれるように、装置１０は、データを共有及び／又は取得するための１つ又は複数の手段を備えてもよい。例えば、装置１０は、短距離無線（ＲＦ）送受信機及び／又は質問器（インテロゲータ）６４を備えていてもよい。これにより、データは、無線技術に従って電子機器と共有されたり、電子機器から取得されたりすることができる。装置１０は、その他の短距離無線送受信機であって、例えば、赤外線（ＩＲ）送受信機６６、ブルートゥース（登録商標）無線技術で動作するブルートゥース（登録商標）（ＢＴ）送受信機６８、無線ユニバーサルシリアルバス（ＵＳＢ）送受信機７０等の何れかを備えてもよい。ブルートゥース（登録商標）送受信機６８は、Ｗｉｂｒｅｅ（登録商標）無線規格等の低電力／超低電力ブルートゥース（登録商標）技術に従って動作可能でもよい。これに関して、装置１０、特に短距離送受信機は、例えば１０ｍ以内といった装置の近傍において、他の電子機器との間でデータ送受信が可能でもよい。装置１０は、種々の無線ネットワーク技術に従って、他の電子機器との間でデータ送受信が可能でもよい。こうした無線ネットワーク技術には、６ＬｏＷｐａｎやＷｉＦｉ、低電力ＷｉＦｉ、無線ＬＡＮ技術であるＩＥＥＥ８０２．１１技術やＩＥＥＥ８０２．１５技術、ＩＥＥＥ８０２．１６技術等の何れかが含まれてもよい。
【００７０】
装置１０は、移動端末の加入者に関連する情報要素を格納することができるメモリを備えてもよく、こうしたメモリは、加入者識別モジュール（ＳＩＭ）３８や着脱式ユーザ識別モジュール（Ｒ−ＵＩＭ）、ソフトＳＩＭソフトウェアモジュール等の何れかでもよい。装置１０は、ＳＩＭに加えて他の着脱式メモリ及び／又は内蔵メモリを備えてもよい。装置１０は、揮発性メモリ４０及び／又は不揮発性メモリ４２を備えてもよい。例えば、揮発性メモリは、ランダムアクセスメモリ（ＲＡＭ）を含んでもよく、ダイナミック及び／又はスタティックＲＡＭ、オンチップ又はオフチップのキャッシュメモリ等を含んでもよい。不揮発性メモリ４２は、内蔵及び／又は着脱可能な不揮発性メモリであってもよく、また、例えばリード・オンリー・メモリ、フラッシュメモリ、磁気記憶デバイス（例えば、ハードディスク、フレキシブルディスクドライブ、磁気テープ等）、光ディスクドライブ及び／又は光ディスクメディア、不揮発性のランダムアクセスメモリ（ＮＶＲＡＭ）等を含んでもよい。揮発性メモリ４０と同様に、不揮発性メモリ４２は、データの一時的な記憶のためのキャシュエリアを含んでもよい。揮発性及び／又は不揮発性メモリの少なくとも一部がプロセッサ２０に組み込まれていてもよい。こうしたメモリは、装置がユーザ機器／携帯端末の機能を遂行するために使用することができる１つ又は複数のソフトウェアプログラムや命令、情報片、データ等を格納してもよい。こうしたメモリは、装置１０を一意に識別可能な、国際移動体装置識別（ＩＭＥＩ）コード等の識別情報を格納してもよい。機能には、ユーザ機器に関して本願で開示された１つ又は複数の動作が含まれ、例えば、図２−４で開示したような（ＴＶ ＷＳＤＢの更新要求の送信や応答の受信等の何れかの）機能でもよい。こうしたメモリは、装置１０を一意に識別可能な、国際移動体装置識別（ＩＭＥＩ）コード等の識別情報を格納してもよい。典型的な実施形態において、プロセッサ２０は、メモリ４０及び／又は４２に格納されたコンピュータコードを用いて、ユーザ機器にＴＶ ＷＳＤＢリストの更新の要求を送らせるように構成されてもよい。このリストは、ユーザ機器等やホワイトスペーススレーブとしてのスレーブ、ホワイトスペースマスターとしてのマスター等に構成されてもよい。
【００７１】
図６は、セルラ基地局やＷＬＡＮ ＡＰ等の何れか、又はその組合せのようなネットワークノードの典型的な実装を描いている。ネットワークノードは１つ又は複数のアンテナ７２０を備え、アンテナ７２０はダウンリンクにおいて送信を行い、アップリンクにおいて受信を行うように構成されてもよい。ネットワークノードはさらに、アンテナ７２０と接続される複数の無線インタフェース７４０を備えてもよい。無線インタフェースは、次の１つ又は複数に対応することができる：ロングタームエボリューション（ＬＴＥ）、第３世代（３Ｇ、ＵＴＲＡＮ、高速パケットアクセス（ＨＳＰＡ））、ＧＳＭ（登録商標）、８０２．１１やＷｉＦｉ等の無線ローカルエリアネットワーク（ＷＬＡＮ）技術、Bluetooth（登録商標）、Bluetooth low energy（ＢＬＥ）、近距離無線通信（ＮＦＣ）、その他のあらゆる無線技術。無線インタフェース７４０は、フィルタや（Ｄ／Ａコンバータ等の）変換器、マッパー（mapper）、高速フーリエ変換（ＦＦＴ）モジュール等の要素をさらに備えてもよく、１又は複数のダウンリンクを通じて送信するシンボルを生成し、例えばアップリンクを通じてシンボルを受信する。ネットワークノードは更に、ネットワークノードを制御し、メモリ７３５に格納されるプログラムコードにアクセスしてそれを実行する、プロセッサ７３０のような１つ又は複数のプロセッサを備えてもよい。典型的な実施形態によっては、メモリ７３５には、コードであって、少なくとも１つのプロセッサで実行されると、基地局及び／又は無線アクセスポイントに関して本願に記載された１つ又は複数の動作を実行させるコードが含まれる。例えば、ネットワークノードは、ホワイトスペースマスターとなったり、ユーザ機器に代わって更新を含むホワイトスペース周波数情報を取得したりする等を行うことができる。
【００７２】
本願に開示された実施形態の一部は、ソフトウェアやハードウェア、アプリケーションロジック、又はこれらの組合せとして実装されてもよい。ソフトウェアやアプリケーションロジック、ハードウェアの何れかは、例えば、メモリ４０、制御装置２０、電子コンポーネントの何れかに存在してもよい。典型的な実施形態によっては、アプリケーションロジック、ソフトウェア、又は命令セットは、種々の標準的なコンピュータ可読媒体の何れかに保持される。本願の文脈において「コンピュータ可読媒体」は非一時的媒体であって、例えば、図５及び６に描かれた実施例を伴うコンピュータやデータプロセッサのような命令実行システムや装置、デバイスで使用される又はそれと共に使用される命令の収容、格納、通信、伝達、送信の何れかが可能である媒体でもよい。コンピュータ可読媒体には非一時的コンピュータ可読記憶媒体が含まれ、この記憶媒体は、例えばコンピュータ等の命令実行システムや装置、デバイスで使用される又はそれと共に使用される命令の収容又は格納が可能である任意の媒体でもよい。また、本願で開示された実施形態によっては、本願で開示された方法を遂行させるように構成されるコンピュータプログラムが含まれる（こうした方法は、例えば図１−４等の何れかを参照されたい）。
【００７３】
本願で開示された典型的な実施形態の1つ又は複数による技術的効果は、ホワイトスペースデータベースの発見を促進することである。ただしこのことは、請求項に係る発明の範囲や解釈、適用を如何様にも限定するものではない。
【００７４】
必要に応じて、本出願で開示した様々な機能が異なる順序で、及び／又は同時に実行されてもよい。さらに必要に応じて、前述の機能の1つ又は複数が任意選択できたり、統合されたりしてもよい。本発明の様々な態様が独立請求項に記載されているが、前述の実施形態からの特定事項の他の組合せ、及び／又は独立請求項の特定事項を備える従属請求項を、請求項に明記された単なる組合せとは別に、本発明の他の態様が備えてもよい。前述の通り、典型的な実施形態が説明されてきたが、これらの記述を限定的な意味で見るべきでないことにも留意されたい。むしろ、添付の特許請求の範囲で定義されるような本発明の範囲から逸脱することなく、様々な変形や修正を行うことができる。様々な実施形態が添付の請求項の範囲に含まれる。「〜に基づいて」という用語には、「〜に少なくとも部分的に基づいて」という意味も含まれる。
【図１】
0006377782.tif 000010
【図２】
0006377782.tif 000011
【図３】
0006377782.tif 000012
【図４】
0006377782.tif 000013
【図５】
0006377782.tif 000014
【図６】
0006377782.tif 000015